(57)【特許請求の範囲】
【請求項１】
アレイとして配置される複数の多角形照明モジュールと、これら照明モジュールのうちの１つに接続される制御装置とを有する照明システムを制御する方法であって、前記照明モジュールは、各照明モジュールが当該照明モジュールの全ての辺に配設された通信ユニットを介して隣接する照明モジュールと通信することができることにより任意に配置可能である方法において、
各照明モジュールが、始動モードにおいて、
− 隣接する照明モジュールからアドレスデータ及び照明向きデータを受信するステップであって、前記アドレスデータが当該照明システムにおける該隣接する照明モジュールの相対位置に関する複数のアドレス要素を有するステップと、
− 当該照明モジュールがアドレスデータ及び照明向きデータを受信する隣接する照明モジュールの照明の向きに、当該照明モジュール自身の照明の向きを整列させるステップと、
−所定のアドレス指定計画に従って、当該照明モジュール自身のアドレスを、前記隣接する照明モジュールに対する当該照明モジュールの位置に依存する前記アドレス要素の少なくとも１つをインクリメント又はデクリメントすることにより決定するステップと、
を有する構成手順を実行し、前記制御装置に接続された照明モジュールが該制御装置から初期のアドレスデータ及び照明向きデータを受信することを特徴とする照明システムを制御する方法。
【請求項２】
前記構成手順は、始動時において当該照明システムにおける全ての照明モジュールに対して実行されると共に、動作中の当該照明システムに単一の照明モジュールが追加された際には該単一の照明モジュールに対して実行される請求項１に記載の照明システムを制御する方法。
【請求項３】
当該照明システムに、前記照明モジュールにより所定の寸法を有する照明パターンを発生させる照明データを供給するステップ、
を有する請求項１又は請求項２に記載の照明システムを制御する方法。
【請求項４】
前記アドレス要素が列要素及び行要素を有する請求項１ないし３の何れか一項に記載の照明システムを制御する方法。
【請求項５】
前記照明向きデータは照明モジュールの各辺に対する個別の辺識別情報を有し、前記整列させるステップは、これら辺識別情報の所定の固有の組み合わせに従って当該照明の向きを設定するステップを有する請求項１ないし４の何れか一項に記載の照明システムを制御する方法。
【請求項６】
各照明モジュールから、当該照明モジュールがデータを受信する照明モジュール以外の隣接する照明モジュールに前記アドレスデータ及び照明向きデータを送信するステップを更に有する請求項１ないし５の何れか一項に記載の照明システムを制御する方法。
【請求項７】
前記整列させるステップに、当該照明モジュール自身の照明の向きを変更した後に前記隣接する照明モジュールに対して送信されるべき前記照明向きデータを更新するステップが後続する請求項６に記載の照明システムを制御する方法。
【請求項８】
相互に接続可能であり且つ互いに通信することが可能な制御装置及び複数の多角形照明モジュールを有する照明システムであって、前記照明モジュールは、各照明モジュールが当該照明モジュールの全ての辺に配設された通信ユニットを介して隣接する照明モジュールと通信することができることにより任意に配置可能である照明システムにおいて、
各照明モジュールは、始動モードにおいて隣接する照明モジュールから前記通信ユニットの１つを介して当該照明システムにおける該隣接する照明モジュールの相対位置に関する複数のアドレス要素を有するアドレスデータと、照明向きデータとを受信して、当該照明モジュール自身の照明の向きを該隣接する照明モジュールの照明の向きに整列させると共に、当該照明モジュール自身のアドレスを、該隣接する照明モジュールに対する当該照明モジュールの位置及び所定のアドレス指定計画に依存して、前記アドレス要素の少なくとも１つをインクリメント又はデクリメントすることにより設定するモジュールコントローラを有することを特徴とする照明システム。
【発明の詳細な説明】
【技術分野】
【０００１】
本発明は、多角形照明モジュールから構成されるモジュール型照明システムを制御する方法及び斯かるシステムに関する。
【背景技術】
【０００２】
モジュール型照明とは、種々の寸法及び形状の大型照明装置を得るために組み立てることが可能なモジュールを指す。各照明モジュールは、例えばＲＧＢ ＬＥＤ等の幾つかの発光エレメントを有する。このようなモジュール型照明応用例の寸法及び形状を例えば当該モジュール型照明応用例が設置されるべき利用可能スペースに適合させる場合の柔軟性に加えて又は他の理由により、このようなモジュール型照明応用例は、静止画若しくは動画又は照明効果を、一般的には標準の角形液晶表示（ＬＣＤ）装置から外れた寸法及び形状を持ち得るスクリーン上で視覚化するために使用することができる。特に、二次元照明モジュールは、典型的には、照明タイル又は単にタイルと称される。このような照明モジュールは、例えば正方形、三角形又は五角形状等の種々の多角形状を有することができる。当該照明モジュールは、二次元形状に限定されるものではなく、立方体又は四角錐等の三次元形状を有することもできる。
【０００３】
国際特許出願公開第WO2007/063487号は、照明システムを制御する従来の方法を開示している。該照明システムは、所望の形状のアレイを形成するように相互接続された複数の照明モジュールから構成されている。該システムは、アレイ内の照明モジュールの１つに接続された制御装置を含む。該制御装置は上記アレイに照明データを供給し、照明モジュールが正しくアドレス指定された場合に、当該アレイは上記照明データに基づいて画像、ビデオ、照明効果等の所望の照明パターンを表示する。このような照明システムは、多くの異なる応用で使用され得るが、しばしば、壁、天井又は自立支持体上に取り付けられる。
【０００４】
斯かる照明システムは、取り付け及び使用を開始するのが容易であることが望ましい。このことは、国際特許出願公開第WO2007/063487号に開示されたシステムに当てはまる。当該照明モジュールは、辺に配設された通信ユニット等の電気的接続及び機械的接続により任意に相互接続可能となっている。しかしながら、この接続の自由度は、各モジュールが正しいデータを受信し、データを正しく表示するように、照明モジュールのアレイの全てにわたって照明データを如何にして伝達するかについての要求を提起する。国際特許出願公開第WO2007/063487号によれば、照明モジュールの配置及び制御装置と照明モジュールとの間の通信のための通信ネットワークを定めるための学習手順が実行される。制御装置は、接続された照明モジュールに対してトークンを送信する。該トークンはモジュールからモジュールへと送られ、該トークンが全照明モジュールを訪ねることを保証する。結果的に、照明モジュールが互いに対してどの様に配置されているかに関する幾何学的情報が得られ、当該制御装置へ通知される。これにより、構造に関する情報が収集される。
【０００５】
更に、アドレス指定に関しては、照明モジュールは初期的にはアドレスを有さない。照明モジュールには、各々、当該モジュールにトークンが最初に到達した場合にアドレスが割り当てられる。各割り当ての後、当該アドレスは更新され、更新されたアドレスはトークンと共に次のモジュールに送られ、同一のアドレスが２つの異なるモジュールに供給されないことを保証する。
【０００６】
アレイの構造に関する知識を得ると共に、モジュールに個別のアドレスを供給する該方法は、非常に柔軟性があり正確であるが、かなり複雑であり、かなり能力のある制御装置を必要とする。幾つかの応用例に対しては、もっと簡単な解決策で十分であったであろう。
【発明の概要】
【発明が解決しようとする課題】
【０００７】
本発明の目的は、照明システムの制御の代替的解決策を提供することである。
【課題を解決するための手段】
【０００８】
この目的は、請求項１に記載された本発明による照明システムを制御する方法により、及び請求項８による照明システムにより達成される。アドレス指定手順が、ローカルなものであると共に、当該アレイにおける当該照明モジュールの位置及び所定のアドレス指定計画に基づいて相対アドレスを発生するので、制御装置へのフィードバックが不要である。請求項及び後の説明で言及される増加（インクリメント）及び減少（デクリメント）は、数に限られるものではなく、一連のアドレス要素における上昇又は下降移動を広く定めるものである。
【０００９】
本方法の一実施例によれば、構成（configuration）手順は、初期スタートアップにおいて（始動時に）当該照明システムの全照明モジュールに対して実行されると共に、動作中に当該照明システムに追加される際には単一の照明モジュールに対して実行される。この実施例は、照明モジュールを追加するのが簡単であるという利点を有している。追加された照明モジュールには、始動時に、隣接する照明モジュールから受信されるアドレスデータを用い所定のアドレス指定のモデルに従って相対アドレスが割り当てられるので、該新しい照明モジュールと前記制御装置（制御ユニット）との間の通信は必要ではなく、アドレス発生が自動化される。
【００１０】
本方法の一実施例によれば、該方法は、当該照明システムに当該照明モジュールにより所定の寸法を有する照明パターンを発生するように構成された照明データを供給するステップを有する。この実施例は簡素さに貢献する。何故なら、前記制御装置は当該アレイの実際の寸法及び形状を知る又は見いだす必要がないからである。
【００１１】
本方法の一実施例によれば、前記アドレス要素は列要素及び行要素を有し、これにより、行／列の表示及びインクリメント／デクリメントの簡単なアドレス指定計画を提供する。
【００１２】
本方法の一実施例によれば、照明向きデータは照明モジュールの各辺（side）に対して個別の辺識別情報を有し、これら辺識別情報の回転順序は全ての照明モジュールに対して同一であり、前記割り当てるステップは照明の向きを辺識別情報の所定の固有の組み合わせにより設定するステップを有する。辺識別情報の回転順序は全ての照明モジュールに対して共通であるので、隣接する辺の識別情報の許容される組み合わせを決定すること、及び検出された組み合わせが許容されない場合に照明モジュールの照明の向きを調整することは容易である。
【００１３】
本発明による照明システムの対応する実施例も、同様の利点を示す。
【００１４】
尚、本発明は請求項に記載されるフィーチャの全ての可能性のある組み合わせに関するものであることに注意すべきである。
【図面の簡単な説明】
【００１５】
【図１】図１は、本発明による照明システム及び方法の一実施例を示す。
【図２ａ】図２ａは、本方法の一実施例による照明配向手順が如何に動作するかの一例を示す。
【図２ｂ】図２ｂは、本方法の一実施例による照明配向手順が如何に動作するかの他の例を示す。
【図２ｃ】図２ｃは、本方法の一実施例による照明配向手順が如何に動作するかの他の例を示す。
【図２ｄ】図２ｄは、本方法の一実施例による照明配向手順が如何に動作するかの他の例を示す。
【図２ｅ】図２ｅは、本方法の一実施例による照明配向手順が如何に動作するかの他の例を示す。
【図２ｆ】図２ｆは、本方法の一実施例による照明配向手順が如何に動作するかの他の例を示す。
【図３】図３は、本方法及びシステムの実施例によるアドレス指定手順及び照明パターンの表示を示す。
【図４】図４は、本発明による他の照明パターン表示手順を示す。
【発明を実施するための形態】
【００１６】
本発明の前記及び他の態様を、本発明の現在のところ好ましい実施例を示す添付図面を参照して詳細に説明する。
【００１７】
本発明による照明システムの利点は、照明モジュール（即ちタイル）を取り付ける場合、これら照明モジュールを所定の回転の向きで配置する必要がないということである。従来、照明モジュールには、背面に"この辺が上"なる印が設けられていた。ユーザに対する優しさの観点からは、全てのタイルを適切に回転させるという要求は、面倒に感じられる。このことは、照明モジュールをアレイに追加する前に、ユーザは当該照明モジュールの背面の印に従わなければならないということを意味する。このような印を怠ると、照明モジュールは不正確に向けられることになり得る。しかしながら、本発明及び前述した国際特許出願公開第WO2007/063487号に開示されたシステムにおいては、照明モジュールは取り付けられる際に任意に回転されることが許される。本発明による配向及びアドレス指定方法は、後述するように、照明パターンはいずれにせよ最終的には正しく表示されるよう取り計らっている。ここでは、照明モジュールの知能が働く点に到達している。整列問題は"プラグ・アンド・プレイ"的に解決される。即ち、整列問題は、当該システムにより、ユーザに気付かれない態様で解決される。
【００１８】
図１は、幾つかの照明モジュール３を有する照明システム１の一例を示し、これら照明モジュールはアレイ５を形成するように取り付けられている。該アレイの形状は単なる解説的な例に過ぎず、原理的には、照明モジュール３の形状を考慮した場合に得ることが可能な如何なる所望の形状も構築することができる。照明モジュール３に加えて、照明システム１は、上記照明モジュール３の１つに接続された制御装置７と、該制御装置７に接続された照明パターン源９とを有している。照明パターンが上記制御装置に供給され、該制御装置は該照明パターンを、接続された照明モジュール３（以下、第１照明モジュールと呼ぶ）に供給する。各照明モジュール３は、自身の各辺（side）に通信ユニット１１を有している。各照明モジュール３は、ＲＧＢ ＬＥＤ等の複数の照明エレメント１３を有している。例えば、各照明モジュール３は、当該照明モジュールにわたって対称に４行４列に分散された１６個の照明エレメント１３を有することができる。更に、各照明モジュール３は、当該照明モジュール３の動作を制御するモジュールコントローラ１０を有している。
【００１９】
２つの隣接する照明モジュールが相互接続された場合、これらのモジュールの対応する隣接する辺の通信ユニットが、データ伝送のために相互接続される。通常、或る照明モジュール３が１つの通信ユニット１１を介して照明データを受信した場合、該照明モジュールは該照明データのうちの自身に向けられたデータを使用し、該照明データを全ての他の辺において全ての他の隣接する照明モジュール３に対して再送信する。幾つかの応用例では、上記照明データを再送信する際に、当該照明モジュール３は自身の状態に依存して幾つかのデータを追加し又は修正することができる。この照明データを正しく扱うために、全ての照明モジュール３は回転的に正しく向けられていなければならない。正しい向きを保証するために、照明モジュール３は、スタートアップ（始動）モードにある場合に、以下に説明される構成（コンフィギュレーション）手順を実行する。
【００２０】
先ず、初期状態、即ち当該照明システム１又はアレイ５が最初に又は電源遮断後に電源を投入された場合を説明する。一例として、照明モジュール３が正方形である、即ち各照明モジュール３が、各々が他の照明モジュール３と相互接続され得るような４つの辺を有すると仮定する。更に、説明を明確にするために、上記辺は、コンパスと同様に、即ち時計方向回転順に北Ｎ、東Ｅ、南Ｓ及び西Ｗと称される。
【００２１】
照明システム１に電源を投入すると、構成手順が開始し、各照明モジュール３は、モジュールコントローラ１０の命令により、４つの全ての辺においてデータの受信を開始する。次いで、モジュールコントローラ１０は、北側の辺等の所定の辺で開始して、データ受信の検出に関して通信ユニット１１を１つずつチェックし始める。制御装置７は、第１照明モジュール３に照明向きデータ及びアドレスデータを供給する。最初に、上記照明向きデータの処理を説明し、次いで、上記アドレスデータがどのように処理されるかを説明する。モジュールコントローラ１０により、第１照明モジュール３は自身の辺のうちの１つにおける通信ユニット１１を介してのデータの受信を検出し、該データを分析する。該照明向きデータは、例えば"北"等の基準の向きを有し、これは、該第１照明モジュールがデータを隣接者の北側の辺からデータを受信したことを意味し、該隣接者は、この場合は、制御装置７であるが、当該手順はどの種のユニットが隣接者であるかに拘わらず同一である。第１照明モジュール３は隣接者の北側の辺からデータを受信するので、自身の南側の辺においてデータを受信するものと推定される。次いで、第１照明モジュール３のモジュールコントローラ１０は、受信している辺が南側の辺であるかをチェックする。もしどうであるなら、該第１照明モジュールは、前記アドレスデータの処理を含む幾つかの所定の対策を実行する。受信している側が南側の辺でない場合、該第１照明モジュールのモジュールコントローラ１０は、自身の照明の向きを、受信された照明の向きに整列させるように構成される。該整列は、当該照明モジュール３を物理的に回転させることにより得られるのではなく、別々の辺の内部表示が、前記制御装置７に接続された辺が南側の辺となるまで回転される。更に詳細には、この実施例によれば、第１照明モジュール３は、合致しない辺の表示に対して、全てのＬＥＤ駆動信号を、当該第１照明モジュールが観察者の視点から時計方向にｎｘ９０度回転して見えるように並び替える（permute）ことにより応答する。次いで、当該照明モジュール３は、自身の隣接者に送信する照明向き情報を更新する。
【００２２】
この整列は、既に運転中の、即ちオンして動作中の照明モジュールのアレイに照明モジュールが追加される場合にも行われ、アレイ５から照明モジュール３が取り外される場合は、前の隣接者において行われる。このように、全照明システム１即ち全アレイ５に電源投入する場合と同一のスタートアップ手順が実行される。更に詳細には、照明モジュールのアレイに照明モジュールを取り付ける場合、該新たに取り付けられた照明モジュールは、電源投入（始動）後、４つの全ての辺で受信を開始する。この新たな照明モジュールの２以上の辺が送信側の照明モジュールに対面する可能性がある。該新たな照明モジュールが電力を得るやいなや、該照明モジュールは起動し、隣の照明モジュールの探索を開始する。自身の物理的な北側の辺から開始して、送信側の隣接する照明モジュールが存在するかを監視する。単一の辺における隣接照明モジュールの検出は、或るフレーム期間内に完了されると予測される。送信側の隣接者が見つからない場合、探索は時計方向に東側の辺に進み、等々となる。隣接者が見つかるやいなや、当該照明モジュールは該辺を自身のデータ入力部と定め、探索を停止する。
【００２３】
更に、当該構成手順は、照明モジュール３を削除した場合、入力データのない照明モジュール３は自動的に新たな送信側隣接者探索手順を開始するように構成されている。この方法により、当該アレイを照明モジュール毎に構築する際にデータ経路が自動的に出現すると共に、照明モジュールから照明モジュールへと進む該データ経路が、当該アレイに照明モジュールが追加された順番及び斯かるモジュールの最初の向きに依存するという興味ある結果が得られる。このデータ経路から照明モジュールを削除する場合、新たな代わりの経路が形成される。これが図２に示されている。
【００２４】
図２を参照すると、第１照明モジュール１５は、４つの照明モジュール１７、１９、２１、２３により後続される。第１照明モジュール１５は、初期照明向きデータを制御装置（図２には示されていない）から受信していると仮定しよう。第２照明モジュール１７において、スタートアップ時における構成手順内で開始された送信側隣接者探索が探索処理を自身の物理的な北側の辺から時計方向に開始する。本例の場合、該第２照明モジュール１７が送信側の第１照明モジュール１５を見付けるまでに、４つの探索ステップが掛かる。その間に、他の照明モジュール１９、２１及び２３は探索を継続するが、該第２照明モジュール１７が送信側隣接者を見付けるまでは、送信側隣接者を見付けることはないであろう。かくして第１照明モジュール１５から受信された照明向きデータには、第２照明モジュール１７に対して該モジュールは第１照明モジュール１５の東側の辺からデータを受信する旨を告げる情報が存在する。第２照明モジュール１７は自身の向きをチェックし、自身の西側の辺が第１照明モジュール１５に接続されていることが分かり、このことは、該第２照明モジュールは第１照明モジュール１５と整列されていることを意味する。
【００２５】
次いで、第２照明モジュール１７はデータを自身の北、東及び南側へ送信し始める。北側の辺が該第２照明モジュール１７に面している第３照明モジュール１９は、自身の最初の探索ステップの間に上記第２照明モジュール１７を即座に発見する。このことは、全ての照明モジュールが照明モジュールからの完全な探索サイクルを完了するのに要する合計時間は、これら照明モジュールの初期の、即ち不定の向きに強く依存することを意味する。第３照明モジュール１９は、自身の向きを第２モジュール１７に整列するよう回転し、更新された照明向きデータを伴うデータの送信を開始する。当該データ経路は、図２ａに示されるように、固有の経路に沿って進展する。
【００２６】
ここで、第１〜第５照明モジュール１５、１７、１９、２１及び２３を介して走るデータ経路が図２ａに示されたように存在すると仮定する。更なる照明モジュール２５を、２つの隣接照明モジュール（即ち第３及び第５照明モジュール１９及び２３）を有するように追加する場合、該更なる照明モジュールは図２ｂ及び２ｃに示されるような２つの態様でデータを捕捉し得る。該更なる照明モジュール２５の北側の辺が第３照明モジュール１９に面すると共に西側の辺が第５照明モジュール２３に面すると仮定すると（図２ｂ参照）、該更なる照明モジュールは第３照明モジュール１９を即座に発見し、探索を停止するであろう。該更なる照明モジュール２５の北側の辺が非接続辺に位置している場合（図２ｃ参照）、該更なる照明モジュールは第５照明モジュール２３を自身の信号源として選択するであろう。何故なら、該第５照明モジュールが最初に現れる送信側照明モジュールであるからである。
【００２７】
他の状況は、照明モジュールは追加されないが、当該アレイ内の全照明モジュールが同時に電源投入された場合に発生する（４つの照明モジュールが第１行に存在し、２つの照明モジュールが第２行における第１行の最後の２つの照明モジュールの下に存在する図２ｄ及び２ｅ参照）。この場合、照明モジュールにおける何の照明モジュールが送信側の隣接者を最初に見付けるかを決定する最初の回転の向きに依存して、異なるデータ経路が出現する。右下角部における最後の照明モジュールは、最終的に、自身の左側の照明モジュール又は自身の上の照明モジュールの何れかからデータを受信することになる。前者の場合、最後の照明モジュールの左側の照明モジュールの削除は（図２ｆ参照）、最後の照明モジュールに新たな隣接者の探索を開始させて、該最後の照明モジュールに他の照明モジュールから入力データを取り込むようにさせる。
【００２８】
多くの種類の照明パターンを表示する場合、画像コンテンツ、従って照明データは、通常は、全ての照明モジュールに対して相違する。従って、前記制御装置によって、照明モジュール固有のブロックの照明データが送信されねばならない。照明データが直列の照明モジュール毎のフォーマットで送信されると仮定すると、これらブロックのデータは、対応する照明モジュールにより認識及び捕捉されねばならない。このことは、照明モジュールをアドレス指定する何らかの方法を必要とする。即ち、当該アレイにおける全ての照明モジュールには電源投入時に固有のアドレスが供給されねばならず、データのブロックは対応する照明モジュールのアドレスでラベルを付されて送信されねばならない。どの程度まで照明モジュール及び制御装置の両方に存在する知的能力が利用されるかに依存して、種々のアドレス指定方法が考えられる。照明モジュールの知能に関する限り、（自己）アドレス指定方法は、前述した自動整列の場合のように、照明モジュールの自己の隣接者に関する知識に大きく頼ることになる。下記の例は、特定の照明システム構成に依存する、本発明による照明モジュールをアドレス指定する幾つかの方法を明らかにする。
【００２９】
照明モジュールが、これらモジュールの整列に無関係に組み立てられたと仮定した場合、下記の全ての方法には、前述したような構成手順が先行する。全ての照明モジュールは、接続された照明モジュールに送られるアドレスデータと共に制御装置により送出される例えば"北側の辺"等の固有の基準向きフラグに向かって自身を整列させ、全ての照明モジュールの同一の辺、南側の辺が上記制御装置の入力点に対面するようになるであろう。
【００３０】
アドレス指定方法の一実施例によれば、照明モジュールの知能が、隣接する照明モジュールとの通信に基づく自己アドレス指定手順を開始するために使用される。下記の例（図３参照）は、制御装置３１により供給される開始アドレスから開始する。前述したように、電源投入時に前記構成手順が開始され、該構成手順の間において、照明モジュール３３は送信側の隣接者を探索し、その間に自動整列を実行し、制御装置３１から当該アレイ内の全照明モジュール３３に向かって走る通信経路を進展させる。上記アドレスデータは、列要素Ｃ及び行要素Ｒを有し、列及び行は数により識別される。制御装置３１がアドレスＣ２Ｒ(−１)を送出していると仮定する。このアドレスは、制御装置３１が列２及び行(−１)に位置する照明モジュールとして作用することを意味する。自身の南側の辺で該データを受信した照明モジュール３３は、かくして、該モジュールがアドレスＣ２Ｒ(−１)を持つ上記の送信側"照明モジュール"の上に位置することを知るのに十分な情報を有している。これに応答して、該照明モジュール３３は、アドレスＣ２Ｒ０を選定する。即ち、該照明モジュール３３は行要素をインクリメントし、このアドレスを自身の他の３つの隣接者に送信する。例えば、該照明モジュール３３の右側の隣接者は、自身の西側の辺においてアドレスＣ２Ｒ０を受信し、これにより、Ｃ２Ｒ０の右側に位置することを知り、かくして、アドレスＣ３Ｒ０を選定する（即ち、列要素をインクリメントする）。
【００３１】
同様に、第１照明モジュールの上に位置する照明モジュールもアドレスＣ２Ｒ０を受信するが、ここでは、南側の辺において受信するので、該照明モジュールにアドレスＣ２Ｒ１を選定させる。この相対アドレス指定の方法の結果、図３に示すようなアドレス指定空間が得られる。
【００３２】
この自己アドレス指定手順がどのように進展するかを知って、制御装置３１は照明データのパッケージの直列メッセージを準備し、各データパッケージに対応する照明モジュールアドレスを付与した後に、これらを当該照明モジュールアレイ内へと送信する。
【００３３】
本発明は、構成手順及び制御装置を簡素にするもので、例えば、照明モジュールから制御装置への位置又はアドレスに関するフィードバックは存在しない。基本的に、制御装置３１は、自身が駆動しているアレイの大きさ及び形状に関して知る必要はない。しかしながら、本制御方法の一実施例によれば、当該アレイの或る最大寸法が予め定義される（図３における鎖線の長方形参照）。上記制御装置は、ビデオプレーヤ又はコンピュータ３５等から外部照明入力を受信すると、Ｃ０Ｒ０〜Ｃ７Ｒ５の範囲のアレイに制限された照明データを発生する。このことは、この領域を越える照明モジュールは画像データを受信することはなく、従って、これら照明モジュールは暗いままとなることを意味する。この方法は、照明モジュールのアレイが最大許容寸法よりも小さい場合、使用されないＲＧＢデータが送信されていることも意味する。
【００３４】
本発明の他の実施例によれば、制御装置４１は、占められるべきスペースに最良に適合するような寸法及び形状の照明モジュールのアレイをユーザが構成するのを可能にする何らかの一層高いレベルの設計ツールを実行するＰＣ ４５とインターフェースすると仮定する（図４参照）。このような設計ツールは、ユーザに、開発中の照明パターンを事前に見る（プレビューする）可能性も提供することができる。かくして、図４に示された構成は、特定の照明モジュール構成に対して専用の特別な照明効果を生成する手段として使用することもできる。この実施例によれば、所望の照明効果を生じるように、物理的な照明モジュールアレイは、その設計対応物に従って組み立てられなければならない。このことは、上記制御装置は、自身が駆動する当該照明モジュールアレイにおける各照明モジュール４３の位置に関する情報を得るということを意味する。前記自動整列手順の間に、該制御装置から全ての照明モジュールに向かって走るデータ経路が作成される。
【００３５】
電源投入時における該構成手順の完了後、上記制御装置は、設計の間に発生された所定の絶対アドレスを、当該アレイにおける対応する照明モジュールに向かって伝達しなければならない。制御装置４１は、これらの既に発生されたデータ経路を利用することはできないことは本当である。何故なら、該制御装置は、組み立ての間において照明モジュールがどの様に回転されたか（これは、電源投入の間において、どのようにデータ経路が出現するかを決定する）が分からないからであるが、いずれにせよ、結果的なアドレスは同じである。
【００３６】
上記制御装置が当該アレイにおける何れかの照明モジュールに到達する（該照明モジュールに絶対アドレスであるが固有のアドレスを供給するために）他の方法は、該制御装置４１の制御の下でデータブロードキャスト経路を作成することによるものである。これは実現可能な方法である。何故なら、当該制御装置は設計による照明モジュールの構成に関しての完全な知識を有しているからである。最大アレイ寸法のアドレス指定を行う上記方法とは対照的に、ＲＧＢデータは当該アレイの一部を形成する照明モジュールに対してのみ発生されるので、通信帯域の損失は発生しないであろう。
【００３７】
本発明によれば、当該照明システムが電源オンされ動作している場合、上記制御装置により照明モジュールに入力されるデータは、典型的には、各アドレスに結合されたアドレスデータ及び照明データバイトからなる制御バイトを有する。照明モジュールがＲＧＢ ＬＥＤを使用すると仮定すると、上記照明データは各照明モジュール上の全ＬＥＤに対するＲＧＢデータである。しかしながら、前記構成（コンフィギュレーション）フェーズの間において、当該制御装置が電源オンされた場合、該制御装置は初期の向き及び初期アドレスからなる開始データを一度送信する。
【００３８】
尚、当業者であれば、本発明が上述した好ましい実施例に決して限定されるものではないことを理解するであろう。逆に、添付請求項の範囲内において、多くの変更及び変更が可能である。
【図１】
0005643814.tif 000002
【図２ａ】
0005643814.tif 000003
【図２ｂ】
0005643814.tif 000004
【図２ｃ】
0005643814.tif 000005
【図２ｄ】
0005643814.tif 000006
【図２ｅ】
0005643814.tif 000007
【図２ｆ】
0005643814.tif 000008
【図３】
0005643814.tif 000009
【図４】
0005643814.tif 000010